(57)【特許請求の範囲】
【請求項１】
入球装置本体に軸支され、駆動源により回転駆動される円盤状の入球口盤と、
前記入球口盤の周方向に沿って複数配列され、各々に遊技球を入出可能な開口を有し、各々に対応するように図柄又は番号が表示された入球口と、
前記入球口盤の原点位置を検出する原点検出手段と、
前記各図柄又は番号が表示された入球口に各々対応して設けられた入球識別スリットを備えた図柄検出用部材と、
前記入球識別スリットの位置を検出する図柄検出センサと、
前記各入球口が所定位置に至ったとき、遊技球を入球可能とする入口と、
前記各入球口から前記遊技球を排出する出口と、
前記各入球口に前記遊技球が入ったことを検出する入球検出センサと、
前記入球検出センサにより前記遊技球が入ったことが検出されたときに前記原点検出手段及び前記図柄検出センサの出力に基づいて、前記遊技球が入球した前記入球口の図柄又は番号を特定する特定手段と、
を備えたこと特徴とする遊技球の入球装置。
【請求項２】
入球装置本体に軸支され、駆動源により回転駆動される円盤状の入球口盤と、
前記入球口盤の周方向に沿って複数配列され、各々に遊技球を入出可能な開口を有し、各々に対応するように図柄又は番号が表示された入球口と、
前記入球口盤と一体的に回動する原点検出用部材と、
前記原点検出用部材に穿設された原点識別スリットと、
前記原点識別スリットの位置を検出する原点検出センサと、
前記入球口盤と一体的に回動する図柄検出用部材と、
前記図柄検出用部材に、前記各図柄又は番号が表示された入球口に各々対応して穿設された入球識別スリットと、
前記各入球識別スリットの位置を検出する図柄検出センサと、
前記各入球口が所定位置に至ったとき、遊技球を入球可能とする入口と、
前記各入球口から前記遊技球を排出する出口と、
前記各入球口に前記遊技球が入ったことを検出する入球検出センサと、
前記入球検出センサにより前記遊技球が入ったことが検出されたときに、前記原点検出センサが前記原点識別スリットを検出したときの原点位置を基準にして、前記図柄検出センサが前記入球識別スリットを検出した検出信号の数により、前記遊技球が入球した前記入球口に対応する図柄又は番号を特定する特定手段と、
を備えたこと特徴とする遊技球の入球装置。
【発明の詳細な説明】
【０００１】
【産業上の利用分野】
本発明は、パチンコ球等の遊技球の入球動作に関連して、図柄、又は数字等を特定するようにした遊技球の入球装置に関する。
【０００２】
【従来の技術】
一般に、遊技盤上に打ち出された遊技球体であるパチンコ球等が入球装置に入球したことにより特定された数字等を用いてゲームを行うものの一つに、アレンジボール遊技機がある。
【０００３】
このアレンジボール遊技機は、その遊技盤の下部位置に各々特定の番号が表示された複数の入球口を横一列に並べた入球装置を配置して構成されている。さらに、遊技盤の中央上部位置には組合せ表示器が配置されている。組合せ表示器には、縦横に区切られた枡目状の複数の表示部が設けられ、各表示部には入球装置の各入球口に対応した特定番号が表示されている。
【０００４】
そして、発射装置により連続して発射された一単位としての所定数（例えば１６個）のパチンコ球が、これらの各入球口にそれぞれ入球した場合には、各入球口に表示された特定番号と同一の番号の表示部が点灯される。このようにして、表示器における複数の表示部が点灯され、点灯箇所が縦、横、又は斜一列に並ぶと、それぞれの表示状態に応じた得点が与えられ、その得点に基づいて賞球が払い出されるようになっている。この後、所定数、例えば１６個のパチンコ球が全て入球したことを確認し、又は一定時間（２〜５秒）のインターバルの後、次回のゲームをスタートする。
【０００５】
【発明が解決しようとする課題】
上述のような従来のアレンジボール遊技機では、入球装置の各入球口が１個の数字等と１対１に対応している。このため１６個の数字を用いる場合には１６個の入球口を横一列に配置した大形の入球装置を用いることになる。このように入球装置が大形化すると、遊技盤上における入球装置の占める割合が大きくなり、遊技盤上でパチンコ球が自由に遊動できる面積が狭くなる。このように遊技盤上の限られた狭い範囲をパチンコ球が遊動するようにした場合には、パチンコ球の動作が制限され、単調で予想可能なものとなってしまいゲームとしての面白味を欠くことになるという問題があった。
【０００６】
本発明は上記事実に鑑み、表示される多数の図柄、又は数字の各々に対応して遊技球をランダムに入球可能にした小形化可能な入球装置を新たに提供することを目的とする。
【０００７】
【課題を解決するための手段】
請求項１に係る遊技球の入球装置の発明は、入球装置本体に軸支され、駆動源により回転駆動される円盤状の入球口盤と、入球口盤の周方向に沿って複数配列され、各々に遊技球を入出可能な開口を有し、各々に対応するように図柄又は番号が表示された入球口と、入球口盤の原点位置を検出する原点検出手段と、各図柄又は番号が表示された入球口に各々対応して設けられた入球識別スリットを備えた図柄検出用部材と、入球識別スリットの位置を検出する図柄検出センサと、各入球口が所定位置に至ったとき、遊技球を入球可能とする入口と、各入球口から遊技球を排出する出口と、各入球口に遊技球が入ったことを検出する入球検出センサと、入球検出センサにより遊技球が入ったことが検出されたときに原点検出手段及び図柄検出センサの出力に基づいて、遊技球が入球した入球口の図柄又は番号を特定する特定手段と、を備えたこと特徴とする。
【０００８】
請求項２に係る遊技球の入球装置の発明は、入球装置本体に軸支され、駆動源により回転駆動される円盤状の入球口盤と、入球口盤の周方向に沿って複数配列され、各々に遊技球を入出可能な開口を有し、各々に対応するように図柄又は番号が表示された入球口と、入球口盤と一体的に回動する原点検出用部材と、原点検出用部材に穿設された原点識別スリットと、原点識別スリットの位置を検出する原点検出センサと、入球口盤と一体的に回動する図柄検出用部材と、図柄検出用部材に、各図柄又は番号が表示された入球口に各々対応して穿設された入球識別スリットと、各入球識別スリットの位置を検出する図柄検出センサと、各入球口が所定位置に至ったとき、遊技球を入球可能とする入口と、各入球口から遊技球を排出する出口と、各入球口に遊技球が入ったことを検出する入球検出センサと、入球検出センサにより遊技球が入ったことが検出されたときに、原点検出センサが原点識別スリットを検出したときの原点位置を基準にして、図柄検出センサが入球識別スリットを検出した検出信号の数により、遊技球が入球した入球口に対応する図柄又は番号を特定する特定手段と、を備えたこと特徴とする。
【０００９】
【作用】
請求項１に係る遊技球の入球装置の発明では、遊技球が入口から入球装置本体の回転している入球口盤の入球口に入る。すると、遊技球は入球口盤の回動によって出口まで運ばれて、出口から送り出される。このとき、出口部分に設けられている入球検出センサが遊技球の通過を検出する。これとともに原点検出手段により検出された入球口盤の原点位置を基準として、図柄検出用部材に設けられた各図柄又は番号が表示された入球口に各々対応して設けられた入球識別スリットを検出する図柄検出センサの出力に基づいて、特定手段が、遊技球が入球された入球口の図柄又は番号を特定する。
【００１０】
請求項２に係る遊技球の入球装置の発明では、遊技球が入口から入球装置本体の回転している入球口盤の入球口に入る。すると、遊技球は入球口盤の回動によって出口まで運ばれて、出口から送り出される。このとき、出口部分に設けられている入球検出センサが遊技球の通過を検出する。
このとき、特定手段が、原点検出センサが前記原点識別スリットを検出したときの原点位置を基準にして、前記図柄検出センサが前記入球識別スリットを検出した検出信号の数により、前記遊技球が入球した前記入球口に対応する図柄又は番号を特定する。
【００１１】
【実施例】
以下、本発明の遊技球体の入球装置の実施例を図面を参照して説明する。
【００１２】
この入球装置本体１０には、入球口盤１２が回転可能に装着されている。この入球口盤１２は、円盤状で、その中央部には小円筒部１４が形成されている。さらに、入球口盤１２には、小円筒部１４の外方に広がる平面部の上に沿うように、小円筒部１４の外周側面から放射状に延びる隔壁１６が本例では８枚設けられている。これら隔壁１６で区切られた各空間部分はパチンコ球１８の入球口２０として構成されたものである。これら各入球口２０には、本実施例では１〜８までの番号が表示されている。そして、図示するように、番号２と６とを表示した入球口２０は、それぞれ２つの隔壁１６のなす中心角が７２度になるよう構成され、他の番号１、３、４、５、７、８を表示した入球口２０はそれぞれ２つの隔壁１６のなす中心角が３６度になるように構成されている。
【００１３】
入球口盤１２の裏面中央部には、図２にも示すように軸部材２２が立設されており、この軸部材２２は入球装置本体１０に固定した駆動モータ２４の出力軸２６に固着されている。これにより、駆動モータ２４を回転駆動することによって、入球口盤１２を所要角回動制御可能にされている。
【００１４】
入球口盤１２の裏面には、軸部材２２と同芯の小円筒状の原点検出用部材２８と大円筒状の図柄検出用部材３０とが突設されている。この原点検出用部材２８には、図４にも示すように、番号１の入球口２０と番号８の入球口２０との間の隔壁１６に対応する位置に、原点検出用部材２８を中心線方向に小さな幅で貫通するように切欠して形成した原点識別スリット３２が設けられている。
【００１５】
また、図柄検出用部材３０には、各隔壁１６に対応する各位置に、それぞれ図柄検出用部材３０を中心線方向に小さな幅で貫通するように切欠して形成した入球識別スリット３４が設けられている。
【００１６】
図２に示すように、原点検出用部材２８を挟むように、入球装置本体１０の構造部の図の下部位置に固定した原点検出センサであるフォトインタラプタ３６が設けられている。また、図柄検出用部材３０を挟むように、入球装置本体１０の構造部の図の上部位置に固定した図柄検出センサとしてのフォトインタラプタ３８が設けられている。これらのフォトインタラプタ３６、３８は制御装置３９に接続されている。
【００１７】
入球装置本体１０には、図１にも示すように、入球口盤１２の周囲を取り巻く位置に周壁４０を設け、各入球口２０に入ったパチンコ球が入球口盤１２の回動時に脱落ちないようにしている。これとともに、周壁４０の上端部には、パチンコ球１８を入球口２０に入れるための入口４２が設けられ、周壁４０の下端部には、各入球口２０に入っていたパチンコ球１８を排出するための出口４４が設けられている。この出口４４は、入球口盤１２の入球口２０に臨む開口から入球装置本体１０の裏側へパチンコ球１８を排出するための通路で構成される。さらに、出口４４の入球口２０に臨む開口部分には、パチンコ球１８の通過を検出する入球検出センサ４６が配置されている。
【００１８】
なお、前述した原点検出センサ３６、図柄検出センサ３８、及びパチンコ球の入球検出センサ４６は、それぞれ機械式、光学式、磁気検出式、等の種々のセンサで構成することができる。さらに、本実施例では入球装置本体１０を設置した遊技盤上における入口４２の上方位置に例えば一対の案内用釘４８を植立してパチンコ球１８が入口４２に導かれ易くなるようにしている。
【００１９】
次に、上述した第１実施例の入球装置の動作を説明する。この入球装置本体１０は、例えばアレンジボール遊技機の遊技盤に装着して用いられるもので、遊技使用時においては、駆動モータ２４を駆動して入球口盤１２を回転させ、この入球口盤１２の各入球口２０に入口４２から任意のタイミングでパチンコ球１８が入球可能な状態とする。また、入球口盤１２の回転動作に伴い原点検出用部材２８の原点識別スリット３２が図３で下部位置にある原点検出センサ３６の位置に回動して来たことを検出し、制御装置３９にその検出パルス信号を入力する。これとともに、図柄検出用部材３０の各入球識別スリット３４が図３で上部位置にある図柄検出センサ３８の位置に回動して来たことを検出し、制御装置３９にその検出パルス信号を入力する。
【００２０】
このような動作状態において、遊技者が遊技盤上に打ち出したパチンコ球１８が入口４２からある入球口２０に入ると、このパチンコ球１８は入球口盤１２の回動に伴って図１に向って反時計方向に回り、下端位置に至る。すると、この入球口２０内のパチンコ球１８は自重で出口４４から転出する。この際、パチンコ球１８が入球検出センサ４６を通過したときのパルス信号が制御装置３９に入力される。
【００２１】
制御装置では、例えば図５のフローチャートに示すように、入球検出処理を行う。まず、ステップ１００で図柄検出センサ３８からの識別パルスの入力があるまで待ち、入力があった場合にはステップ１０２へ進む。ステップ１０２では、原点検出センサ３６からの原点パルスの入力があるか否かを判断し、原点パルスの入力があった場合にはステップ１０４に進み出口４４の直上位置にある認識図柄Ｎが１であることをセットし、ステップ１０６に進む。また、原点パルスの入力がない場合には、ステップ１０９に進み、認識図柄Ｎが８か否かを判断し、認識図柄Ｎが８でない場合にはステップ１１２へ進む。また認識図柄Ｎが８の場合には、ステップ１１０へ進み、認識図柄Ｎを０にセットしてからステップ１１２へ進む。
【００２２】
ステップ１１２では認識図柄の数に１を加算してステップ１０６へ進む。
ステップ１０６では、入球検出センサ４６からの入球パルスの入力があったか否かを判断し、入球パルスの入力がなかった場合には、ステップ１００へ戻る。また、入球パルスの入力があった場合には、ステップ１０８に進み入球パルスの入力時点で認識されている図柄Ｎを、パチンコ球が入球した図柄として特定し、記憶してステップ１００へ戻る。
【００２３】
また図６のタイムチャートは、順次図柄番号２の入球口２０に１個入球し、図柄番号５の入球口２０に１個入球し、続く図柄番号６の入球口２０に２個入球し、図柄番号１の入球口２０に１個入球し、図柄番号３の入球口２０に１個入球した状態を示している。
【００２４】
この結果、制御装置は、図柄番号２、５、６、６、１、３、が入球したことを認識し、次にこの入球状態が当りか外れかを判別してゲームを進めるように制御動作を行う。
【００２５】
次に本発明の第２実施例を図７乃至図９によって説明する。本第２実施例は、入球口盤の入球した入球口の図柄番号を認識する構成を簡素化したものである。このため本実施例では、駆動モータ２４としてパルスモータを用いる。さらに、入球口盤１２の裏面側部には、軸部材２２と同芯の小円筒状の原点検出用部材２８だけを設け、これには原点識別スリット３２を穿設する。この原点検出用部材２８を挟むように、制御装置３９に接続された原点検出センサであるフォトインタラプタ３６が設けられている。なお、図柄検出用部材及び図柄検出センサは省略する。
【００２６】
本実施例では図５のフローチャートで識別パルスをカウントするのに代えて、パルスモータの駆動パルス数をカウントする。この駆動パルスの４パルス分が図５のＮの１インクリメント分に相当する。
【００２７】
また本第２実施例の入球装置で入球した図柄を制御装置で検出するときの具体的動作は図９のタイムチャートに示す通りである。
【００２８】
このようにして図９のタイムチャートには、図５と同様の順で入球した状態を示す。
【００２９】
なお、本第２実施例における以上説明した以外の構成、作用及び効果は前述した第１実施例と同等であるので、その説明を省略する。
【００３０】
次に本発明の第３実施例を図１０乃至図１５によって説明する。本第３実施例は入球装置の構造を全体的に改良したものである。
【００３１】
入球装置本体１０の入球口盤５０は、図１０に示すように円板の裏側外周部近くに中心角３６度で１０分割された部分に、それぞれ入球口５２を配置して構成されている。各入球口５２は図１１にも示すように、入球口盤５０の裏面に略Ｕ字状の凹部が連続するようにＵ字状の隔壁５４を５０の裏面から立設して構成されている。すなわち、各入球口５２は入球口盤５０の外周側と裏面側に開放する裏面Ｕ字溝状に形成されている。そして、図１０に示す如く、各入球口５２には１〜８までの番号が表示されている。但し、番号２と６とはそれぞれ２個ずつの入球口５２が対応されている。
【００３２】
図１２に示すように、入球口盤５０の中央裏面部には軸棒５６が立設されている。この軸棒５６は入球装置本体１０の平板中央部に設けた軸受穴部５８に軸挿されている。
【００３３】
また、この軸棒５６における軸受穴部５８から突出した部分には被動歯車部材６０が固着されている。この被動歯車部材６０には、入球装置本体１０に設置された駆動モータ６１の駆動歯車６３が噛合されている。
【００３４】
さらに軸棒５６の自由端部には、原点用センシングロータ６２と、図柄用センシングロータ６４とが固着されている。
【００３５】
この原点用センシングロータ６２には、図１４に示すように円板の１箇所に原点スリット６６が穿設されている。そして、原点用センシングロータ６２は、図１０に示すように、入球口盤５０の第１番入球口５２が図の一番上の位置に来ているときに、原点スリット６６が所定の原点検出位置に位置するように調整して軸棒５６に固着されている。また、原点用センシングロータ６２の外周部に臨む所定位置に、センシングロータ６２の板を挟むように制御装置３９に接続された原点検出用センサ７４が配置されている。
【００３６】
図柄用センシングロータ６４には、図１４に示すように、円板の中心角３６度で１０分割された箇所であって、入球口５２の第２番と第６番の中間に対応する位置を除いた各位置に図柄スリット６８が穿設されている。
【００３７】
そして、図柄用センシングロータ６４は、隣り合う図柄スリット６８が中心角７２度開いた各部分が図１０に示す第２、第６番入球口５２に各々対応する所定の図柄検出位置に位置するように調整して軸棒５６に固着されている。また、図柄用センシングロータ６４の外周部に臨む所定位置にセンシングロータ６４の板を挟むように制御装置３９に接続された図柄検出用センサ７６が配置されている。
【００３８】
入球装置本体１０の平板部には、図１０乃至図１２に示すように入球口盤５０の周囲を取り囲むように周壁７０が突設されている。この周壁７０の図で上部位置には、各入球口５２にパチンコ球１８を導入可能に連通する入口部７２が設けられている。
【００３９】
入球装置本体１０の平板部には、図１０、図１１、及び図１３に示すように、図１０に向って左上部の開口に入球口５２の裏面開放部からパチンコ球１８を導入し、入球装置本体１０の裏側下方へ回り込むように形成された入球通路７８が設けられている。この入球通路７８の中間部位には入球検出センサ８０を設置する。この入球検出センサ８０は、パチンコ球１８の通過を検出してその検出信号を図示しない制御装置に送るように構成されている。
【００４０】
なお、前述した原点検出用センサ７４、図柄検出用センサ７６、及び入球検出センサ８０は、それぞれ機械式、光学式、磁気検出式等の種々のセンサで構成することができる。さらに本実施例では、入球装置本体１０を設置した遊技盤上における入口部７２の近くにパチンコ球誘導用の一対の案内用釘４８を植立している。
【００４１】
次に、上述した本第３実施例の入球装置の動作を説明する。この入球装置の遊技使用時においては、駆動モータ６１を駆動し、駆動歯車６３、被動歯車部材６０を介し、軸棒５６と一体の入球口盤５０を図１０に向って反時計方向に回動する。この入球口盤５０の回動に伴って原点用センシングロータ６２と図柄用センシングロータ６４とが一体的に回動する。そして、原点用センシングロータ６２の原点スリット６６が原点検出用センサ７４を通過した時点で原点検出用センサ７４は、その検出信号を制御装置に送信する。また、図柄用センシングロータ６４の各図柄スリット６８が図柄検出用センサ７６を通過した時点で図柄検出用センサ７６は、その検出信号を制御装置に送信する。
【００４２】
このような入球装置の動作状態において、遊技者により打出されたパチンコ球１８が入口部７２からある入球口５２に入り、この後入球口盤５０の回動によって入球通路７８の位置へ運ばれると、この入球通路７８に導入されて外部へ送出される。この際入球通路７８の入球検出センサ８０をパチンコ球１８が通過した時点で入球検出センサ８０はその検出信号を制御装置に入力する。
【００４３】
制御装置では、例えば前述した図５のフローチャートに示す入球検出処理を行って、パチンコ球１８が入球した図柄を認識する。この入球状態のタイムチャートは図６と同様である。  なお、本第３実施例における以上説明した以外の構成、作用、及び効果は前述した第１実施例と同様であるので、その説明を省略する。
【００４４】
次に本発明の第４実施例を図１６乃至図１８によって説明する。本第４実施例は、入球口盤の入球した入球口の図柄番号を認識する構成を簡素化したものである。このため本実施例では、駆動モータ６１としてパルスモータを用いる。さらに、入球口盤５０の軸棒５６には、原点用センシングロータ６２だけを設け、これには原点スリット６６を穿設する。この原点用センシングロータ６２には、制御装置３９に接続された原点検出用センサ７４を臨ませる。なお、図柄用センシングロータ及び図柄検出用センサは省略する。
【００４５】
また本第４実施例の入球装置で入球した図柄を制御装置で検出するときの動作は図５のフローチャートと同様であるが、本実施例では前述の図５のフローチャートで識別パルスをカウントするのに代えて、パルスモータの駆動パルス数をカウントする。この駆動パルスの４パルス分が図５のＮの１インクリメント分に相当する。また、この入球状態のタイムチャートは図９と同様である。
【００４６】
なお、本第４実施例における以上説明した以外の構成作用及び効果は前述した第３実施例と同様であるので、その説明を省略する。
【００４７】
【発明の効果】
以上詳述したように、請求項１に係る遊技球の入球装置の発明では、入球装置本体に設けられた入球口盤の入球口に入口から遊技球が入ると、これを出口まで運んで排出し、この間に入球検出センサにより遊技球が入球口に入ったことを検出した際に、原点検出手段により検出された入球口盤の原点位置を基準として、図柄検出用部材に設けられた各図柄又は番号が表示された入球口に各々対応して設けられた入球識別スリットを検出する図柄検出センサの出力に基づいて、特定手段が、遊技球が入球された入球口の図柄又は番号を特定する。よって、入口を多数設けなくても多数の入球口に遊技球を入球させることができ、多数の入球口の各々に遊技球検出用センサを設けなくても良いので、多数の入球口を有しながら小形化可能であり構造が簡素で廉価な入球装置を提供できるという効果がある。さらに、特定手段により特定された遊技球が入球した入球口に対応する図柄又は番号に基づいてゲームを進めることができるという効果がある。
【００４８】
また、請求項２に係る遊技球の入球装置の発明では、入球装置本体に設けられた入球口盤の入球口に入口から遊技球が入ると、これを出口まで運んで排出し、この間に入球検出センサにより遊技球が入球口に入ったことを検出した際に、特定手段が、原点検出センサが原点識別スリットを検出したときの原点位置を基準にして、図柄検出センサが入球識別スリットを検出した検出信号の数により、遊技球が入球した入球口に対応する図柄又は番号を特定する。よって、入口を多数設けなくても多数の入球口に遊技球を入球させることができ、多数の入球口の各々に遊技球検出用センサを設けなくても良いので、多数の入球口を有しながら小形化可能であり構造が簡素で廉価な入球装置を提供できるという効果がある。さらに、特定手段により特定された遊技球が入球した入球口に対応する図柄又は番号に基づいてゲームを進めることができるという効果がある。
【図面の簡単な説明】
【図１】本発明の第１実施例に係る遊技盤に装着した入球装置部分を示す正面図である。
【図２】図１のＩＩ−ＩＩ線による断面図である。
【図３】本第１実施例の入球装置の背面図である。
【図４】本第１実施例の入球口盤の裏側に設けた原点検出用部材、及び図柄検出用部材部分を示す背面図である。
【図５】制御装置による入球検出処理のフローチャートである。
【図６】本第１実施例の入球装置に対する入球動作を制御装置が各センサの出力パルスによって認識する動作を説明するためのタイムチャートである。
【図７】本発明の第２実施例に係る入球装置の縦断面図である。
【図８】本第２実施例の入球口盤の裏側に設けた原点検出用部材部分を示す背面図である。
【図９】本第２実施例の入球装置に対する入球動作を制御装置が各センサの出力パルスによって認識する動作を説明するためのタイムチャートである。
【図１０】本発明の第３実施例に係る遊技盤に装着した入球装置部分を示す正面図である。
【図１１】図１０のＩＸ−ＸＩ線による縦断面図である。
【図１２】図１０のＸＩＩ−ＸＩＩ線による横断面図である。
【図１３】本第３実施例の入球装置の背面図である。
【図１４】本第３実施例の入球装置における原点用センシングロータ部分を取り出して示す正面図である。
【図１５】本第３実施例の入球装置における図柄用センシングロータ部分を取り出して示す正面図である。
【図１６】本発明の第４実施例に係る入球装置の縦断面図である。
【図１７】本第４実施例に係る入球装置の横断面図である。
【図１８】本第４実施例の入球装置における原点用センシングロータ部分を取り出して示す正面図である。
【符号の説明】
１０    入球装置本体
１２    入球口盤
２０    入球口
２４    駆動モータ
２８    原点検出用部材
３０    図柄検出用部材
３２    原点識別スリット
３４    入球識別スリット
３６    原点検出センサ
３８    図柄検出センサ
４２    入口
４４    出口
４６    入球検出センサ
５０    入球口盤
５２    入球口
６１    駆動モータ
６２    原点用センシングロータ
６４    図柄用センシングロータ
６６    原点スリット
６８    図柄スリット
７２    入口部
７４    原点検出用センサ
７６    図柄検出用センサ
７８    入球通路
８０    入球検出センサ
【図１】
0003739827.tif 000002
【図２】
0003739827.tif 000003
【図３】
0003739827.tif 000004
【図４】
0003739827.tif 000005
【図５】
0003739827.tif 000006
【図６】
0003739827.tif 000007
【図７】
0003739827.tif 000008
【図８】
0003739827.tif 000009
【図９】
0003739827.tif 000010
【図１０】
0003739827.tif 000011
【図１１】
0003739827.tif 000012
【図１２】
0003739827.tif 000013
【図１３】
0003739827.tif 000014
【図１４】
0003739827.tif 000015
【図１５】
0003739827.tif 000016
【図１６】
0003739827.tif 000017
【図１７】
0003739827.tif 000018
【図１８】
0003739827.tif 000019